(57)【要約】【課題】本発明は、インプリント法に用いるテンプレートに残留する異物を効果的に除去できるパターン形成用テンプレートの洗浄方法を提供する。【解決手段】凹凸を有するパターン面を備えたテンプレート１２０を保持し、テンプレート１２０のパターン面に付着した異物を含む領域に洗浄剤４０２を供給し、テンプレート１２０のパターン面と反対側の面から放射光１０５を照射し、放射光１０５により洗浄剤４０２を光励起してラジカルを生じさせ、異物とラジカルとを反応させて異物の少なくとも一部を親水化し、親水化させた後、異物をテンプレート１２０から除去することにより、テンプレート１２０のレジスト残差１２４を除去する。【選択図】図５
2010046923.tif 000002
【特許請求の範囲】
【請求項１】
凹凸を有するパターン面を備えたテンプレートを保持する工程と、
前記テンプレートのパターン面に付着した異物を含む領域に洗浄剤を供給する洗浄剤供給工程と、
前記テンプレートの前記パターン面と反対側の面から放射光を照射し、前記放射光により前記洗浄剤を光励起してラジカルを生じさせる洗浄剤励起工程と、
前記異物と前記ラジカルとを反応させて前記異物の少なくとも一部を親水化する異物親水化工程と、
前記親水化工程後、前記異物を前記テンプレートから除去する異物除去工程と、
を具備したことを特徴とするテンプレートの洗浄方法。
【請求項２】
前記ラジカルを生じる洗浄剤が、水または水を溶媒とする水溶液、過酸化過酸化水素を溶質とする水溶液または有機物、アルコールのいずれかであることを特徴とする請求項１記載のテンプレートの洗浄方法。
【請求項３】
前記洗浄剤に、溶質として酸素またはオゾンが含まれることを特徴とする請求項２記載のテンプレートの洗浄方法。
【請求項４】
前記光励起した酸素またはオゾンを用いて前記親水化した異物を分解する工程を具備したことを特徴とする請求項３記載のテンプレートの洗浄方法。
【請求項５】
被処理基板上にインプリント材料を塗布する工程と、
請求項１乃至４のいずれか一項記載のテンプレートの洗浄方法により洗浄されたテンプレートのパターン面を前記インプリント材料に接触させる工程と、
前記テンプレートを前記インプリント材料に接触させた状態で前記インプリント材料を硬化する工程と、
前記インプリント材料から前記テンプレートを離型する工程と、
を具備したパターン形成方法。 
【発明の詳細な説明】
【技術分野】
【０００１】
本発明は半導体装置の製造工程、ハードディスクの製造工程、フォトアレイの製造工程などに用いられるインプリントリソグラフィ方法に用いる原盤であるテンプレートの洗浄方法と、この洗浄方法で洗浄されたテンプレートを用いたパターン形成方法に関するものである。
【背景技術】
【０００２】
近年、微細パターンを形成する手法として、ナノインプリント法が注目されている。ナノインプリント法では、凹凸パターンが形成されたインプリント用テンプレートを被処理基板上に塗布したレジストに接触させ、レジストを硬化させた後、テンプレートをレジストから離型することによりレジストパターンを形成する。
【０００３】
テンプレートを離型した際、レジストパターンの一部が切断されてしまうことなどが原因となり、テンプレートのパターン面にレジストが残留してしまう場合がある。このため、インプリント手法によるパターン形成においては、適宜テンプレートに残留するレジストを除去する必要がある。
【０００４】
テンプレートに残留するレジストを除去する手法については特許文献１に記されている。特許文献１では、テンプレートのパターン表面に予め酸化チタンなどの光触媒を形成しておき、レジスト残渣が生じたときに特許文献１の図３（ｂ）に示すようにパターン面から紫外光を照射し、酸化チタンの光触媒作用を利用してレジスト残渣を酸化分解して除去する手法が開示されている。しかし、テンプレート上に酸化チタンを形成する場合に一般的には５００℃以上で焼成する必要があるため、テンプレートのパターンが歪むという問題があり、実用上は困難である。
【０００５】
また、特許文献２にはレジスト表面を親水化する目的でＯＨラジカルを用いる手法が開示されている。特許文献３、特許文献４には被処理基板上のレジストパターンに、水または酸素を含有した雰囲気でパターン面側から紫外光を照射してＯＨラジカルまたは酸素ラジカルを発生させ、これらを用いてレジストパターンの一部除去してレジストパターンを細らせる手法が開示されている。
【特許文献１】特開２００５−３２７７８８号公報
【特許文献２】特開２００６−１８６１１１号公報
【特許文献３】特開２００６−３２９９２号公報
【特許文献４】特開２００４−３６３４４４号公報
【発明の開示】
【発明が解決しようとする課題】
【０００６】
本発明は、インプリント法に用いるテンプレートに残留する異物を効果的に除去できるパターン形成用テンプレートの洗浄方法と、この洗浄方法で洗浄されたテンプレートを用いたパターン形成方法を提供することを目的とする。
【課題を解決するための手段】
【０００７】
本願の第一の発明は、凹凸を有するパターン面を備えたテンプレートを保持する工程と、前記テンプレートのパターン面に付着した異物を含む領域に洗浄剤を供給する洗浄剤供給工程と、前記テンプレートの前記パターン面と反対側の面から放射光を照射し、前記放射光により前記洗浄剤を光励起してラジカルを生じさせる洗浄剤励起工程と、前記異物と前記ラジカルとを反応させて前記異物の少なくとも一部を親水化する異物親水化工程と、前記親水化工程後、前記異物を前記テンプレートから除去する異物除去工程と、を具備したことを特徴とする。
【発明の効果】
【０００８】
本発明によれば、インプリント法に用いるテンプレートに残留する異物を効果的に除去できるテンプレートの洗浄方法と、この洗浄方法で洗浄されたテンプレートを用いたパターン形成方法を提供することができる。
【発明を実施するための最良の形態】
【０００９】
以下、図面を参照して本発明の実施形態について詳細に説明する。
【００１０】
(第１の実施形態)
本発明の第１の実施形態に係る光ナノインプリント装置及びその装置を用いた光ナノインプリント法によるパターン形成方法を、それぞれ図１及び図２を参照して説明する。
【００１１】
図１は、光硬化を用いたインプリント法に用いられるナノインプリント装置１００の一例を示す概略図である。ナノインプリント装置１００は、被処理基板（ウェハ）１１０を固定する被処理基板チャック１０２と、これを載置し、2次元的に移動させるための被処理基板用ステージ１０１、被処理基板上に選択的にレジスト材料を供給するインプリント用レジスト塗布手段１０３と、ナノインプリント用テンプレート１２０を保持するテンプレート保持機構１０４、テンプレートを介してレジスト材料を硬化するためのＵＶ照射を行うＵＶランプ１０５を具備している。ナノインプリント用のテンプレート１２０は、例えば、一般のフォトマスクに用いる全透明な石英基板にプラズマエッチングで凹凸のパターンを形成したものである。
【００１２】
この装置１００を用いた一般的なナノインプリント法によるパターン形成工程の一例を図２に示す。図２は、一般的なナノインプリント法によるパターン形成方法を示す工程断面図である。
【００１３】
まず、図２（ａ）に示すように、被処理基板１１０を被処理基板チャックで保持した後、被処理基板１１０をインプリントレジスト塗布手段１０３の直下に相対移動させ、被処理基板１１０の被インプリント領域１１１に流動性を有するインプリント用レジスト１１２を選択的に形成した。レジスト１１２の塗布はインプリントレジスト塗布手段１０３を操作させることにより行った。
【００１４】
次いで、図２（ｂ）に示すように、被処理基板用ステージを駆動して、被処理基板１１０を、テンプレート保持機構に保持されたテンプレート１２０の直下に移動させた。
【００１５】
続いて、図２（ｃ）に示すように、レジスト１１２を挟むように被処理基板１１０主面にテンプレート１２０の凹凸パターン面を近接させ、レジスト１１２に接触させる。このとき、流動性を有するレジスト１１２は毛細管現象によりテンプレートの凹領域に充填される。
【００１６】
充填後、図２（ｄ）に示すように、被処理基板１１０の主面とテンプレート１２０に形成されたパターンとの位置あわせを行った後、テンプレート１２０のパターン形成面（凹凸面）と反対側の面から、レジストを硬化させるための光照射１０５を行う。
【００１７】
さらにレジスト１１２を硬化後、図２（ｅ）に示すように、テンプレート１２０を離型することにより、被処理基板１１０上にレジストパターン１１３を形成する。
【００１８】
しかし、図３に示すように、テンプレート１２０の離型の際にレジストパターン１１３がちぎれて、テンプレート１２０の凹パターン中に残留レジスト１２４が生じてしまう場合がある。この状態でテンプレートを続けて使用した場合にはレジストパターンに共通欠陥を生じてしまうので、テンプレート上の凹部に残留したレジスト１２４を除去する洗浄プロセスを行う必要がある。図４を参照して、本実施形態に係るテンプレートの洗浄に用いる洗浄装置の一例を説明する。図４は、本実施形態に係るテンプレートの洗浄に用いる洗浄装置を示す概略図である。
【００１９】
図４に示すように、本実施形態に係る洗浄装置４００は、洗浄対象となるテンプレート１２０を保持するテンプレート保持機構４０１と、テンプレート１２０のパターン形成面に洗浄剤４０２を供給する洗浄剤供給機構４０３と、洗浄剤４０２に光を照射して活性化させるための光照射機構４０４とを備えている。
【００２０】
洗浄剤供給機構４０３としては、テンプレート１２０のパターン面を浸水させるための洗浄槽を用いた。洗浄槽には、配管（図示を省略）を通して洗浄剤が供給される。なお、洗浄剤供給機構４０３は、上記洗浄槽に限定されるものではなく、テンプレート１２０のパターン面に洗浄剤を供給できるものであればよい。洗浄剤供給機構の他の例については後述する。
【００２１】
洗浄剤４０２には、酸素水を用いた。酸素水は、脱気した純水中に酸素ガスを溶解したものである。なお洗浄剤４０２は、この酸素水に限定されるものではなく、光が照射されることにより少なくともOHラジカルを発生させるものであればよい。例えば、水または水を溶媒とする水溶液、過酸化水素を溶質とする水溶液または有機物、アルコールのいずれかを用いることができる。
【００２２】
テンプレート保持機構４０１は、テンプレート１２０のパターン面を洗浄剤４０２が供給される方向に向けて保持する。テンプレート保持機構４０１は、保持するテンプレート１２０を平面方向及び垂直方向へ駆動、及びチルト駆動させることが可能であり、テンプレート１２０のパターン面を洗浄槽に溜められた洗浄剤４０２に向けて駆動させ、パターン面に洗浄剤４０２を接触させて供給することが可能である。
【００２３】
光照射機構４０４は、光源としてＸｅエキシマランプを備えている。Ｘｅエキシマランプからは、波長１７２ｎｍの光がテンプレート１２０に照射される。本実施形態に係る光照射機構４０４は、光がテンプレート１２０のパターン面と反対側の面から照射されるよう、パターン面よりもパターン面と反対側の面に近い位置に設けられている。また光照射機構４０４は、平面方向及び垂直方向に駆動可能に設けられ、テンプレート１２０のパターン面と反対側の面に近接又は接触させて光を照射することが可能である。さらに光照射機構４０４は、テンプレート１２０に対する光の照射角度を調節することができるように構成されている。また反対に、テンプレート保持機構４０１が照射光に対するテンプレート１２０の傾きを調節する機構を備えていてもよい。
【００２４】
本実施形態に係る洗浄装置４００或いはその機構の一部が、図１に示したパターン形成に用いられるインプリント装置１００内に設けられていてもよい。この場合、インプリント装置１００のテンプレート保持機構１０４は、洗浄装置４００のテンプレート保持機構４０１として機能させることもできる。
【００２５】
続いて、図５を参照して、上記装置を用いた本実施形態に係るテンプレートの洗浄方法について説明する。図５は、本実施形態に係るテンプレートの洗浄方法を示す工程断面図である。
【００２６】
まず、図５（ａ）右図に示すように、テンプレート保持機構４０１により、テンプレート１２０を凹凸パターン面（洗浄面）が光照射機構４０４と反対側に向くように、さらに洗浄剤４０２が溜める洗浄剤供給機構４０３に向けられるように保持する。図５（ａ）左図は、図５（ａ）右図の点線部の拡大図である。図５（a）左図に示すように、テンプレート１２０のパターン面にはレジスト残差が付着している。なお、以降の図５を用いた説明では、図５（ａ）左図に示す箇所の拡大図のみを参照して進める。
【００２７】
次いで、図５（ｂ）に示すように、テンプレート保持機構を駆動させて、テンプレート１２０のレジスト残渣１２４を含むパターン面を洗浄槽内の洗浄剤（酸素水）４０２に接触させ、パターン面に洗浄剤４０２を供給した。このとき、洗浄剤４０２がテンプレート１２０のパターン面と反対側の面を覆わない程度にテンプレート１２０を洗浄剤４０２に浸水させることが望ましい。パターン面と反対側の面に洗浄剤４０２が供給されたまま後述する光照射工程に進むと、パターン面と反対側の面から照射される光が、パターン面と反対側の面を覆う洗浄剤４０２に吸収され、パターン面側に光が到達しないか、もしくは、到達する光が弱く、洗浄が十分に行われない恐れが生じるためである。
【００２８】
次いで、図５（ｃ）に示すように、テンプレート１２０の凹凸パターン面を浸水させた状態で、光照射機構を用いて、テンプレート１２０の凹凸パターン面と反対の面からテンプレート１２０のパターン面に対し、波長１７２ｎｍの光（励起光１０５）を照射した。波長１７２ｎｍの光は、テンプレート母材の石英で若干吸収されるものの、レジスト残渣１２４とその周辺の洗浄剤４０２に照射される。波長１７２ｎｍの光により励起された水ではＯＨラジカルが発生し、このＯＨラジカルがレジスト残渣との反応を開始する。なお、洗浄剤４０２に水または水を溶媒とする水溶液を用いた場合、波長１７２ｎｍの光に限らず、波長が２００ｎｍ以下の光を洗浄剤に照射して、洗浄液中の水を励起してＯＨラジカルを生じさせることが可能である。なお、本実施形態では、テンプレート１２０のパターン面を洗浄剤４０２に浸水させた後、光照射機構を駆動することにより光照射機構をテンプレート１２０のパターン面と反対側の面に接触させ、これらを接触させた状態で光を照射した。照射光１０５が、光照射機構とテンプレートの間の媒質（空気や水蒸気等）を通過すると、光が媒質に吸収されて、パターン面に光が十分に到達しない場合がある。しかし、このように、光照射機構をテンプレートのパターン面と反対側の面に接触させて光照射することにより、光照射機構とテンプレート間の媒質における光の吸収を防止することができる。
【００２９】
ただし、光照射機構とテンプレート間の媒質における照射光の吸収の影響があまり大きく無く、パターン面に所望の光量の光が到達する場合、例えば窒素パージすることで波長１７２ｎｍの光の吸収を少なくする、或いはテンプレートと光照射機構との間を真空に近い状態にするなどの処理を行なった場合には、必ずしも光照射機構をテンプレートのパターン面と反対側の面に接触させなくともよく、光照射機構をテンプレートに近接させる程度でもよい。
【００３０】
また、光照射機構とテンプレート間の媒質における照射光の吸収を抑えるために、光照射機構とテンプレート間の媒質に光吸収率の高い水分等が含まれないように、光照射機構とテンプレート間の空間にドライエアーを導入してもよい。
【００３１】
さらに、図５（ｃ）では、テンプレート面に対して垂直に光を入射したが、必ずしも垂直に入射する必要はない。パターン凹部内のレジスト残差の位置に応じて、斜めから入射することもできる。
【００３２】
図５（ｄ）に示すように、レジスト残渣１２４の表面（洗浄剤４０２との接触面）は徐々にＯＨラジカル反応により親水性になるため、レジスト残渣１２４とテンプレート１２０の界面（凹部パターンの側面部）に洗浄剤が染込む。更に染込んだ洗浄剤が波長１７２ｎｍの光で励起されレジスト残渣１２４の親水化領域が拡大し、それに応じて界面への洗浄剤４０２の浸透が進み、やがてレジスト残渣１２４はテンプレート界面から剥離する。なお、反応の進行に伴いレジスト残渣１２４の一部が水溶性になり、溶解する場合もある。
【００３３】
また、洗浄剤４０２中の酸素も波長１７２ｎｍの光で励起され酸素ラジカルを発生する。この酸素ラジカルもレジスト残渣を分解する作用があるため、レジスト残渣１２４に対してＯＨラジカル反応が進み溶解性を有するようになりつつ、酸素ラジカル反応による酸化分解反応が進む。
【００３４】
図５（e）に示すように、テンプレート１２０から剥離したレジスト残渣１２４に対して波長１７２ｎｍの光１０５が照射されている間は、更に、水から生じるＯＨラジカルと酸素から生じる酸素ラジカルの作用を受け、溶解と酸化分解反応が進行する。
【００３５】
最後に、図５（f）に示すように、テンプレート１２０の凹凸パターン面を水洗して、洗浄剤４０２中に残存する浮遊物の除去を行い、更にイソプロパノールに置換し、これを乾燥させて処理を終了した。本実施形態に係る洗浄方法により、テンプレートの凹凸パターン面に生じていたレジスト残渣を完全に除去することができた。
【００３６】
本実施形態では洗浄剤に酸素水を用いたが、光照射によりＯＨラジカルを生じる水やアルコールなどのＯＨを含む溶媒に酸素またはオゾンが含まれるものが利用できる。大気に接触させた純水中でも酸素が数１０ｐｐｍ程度溶解しているが、そのような（純）水を用いても効果を確認できた。オゾン水単独でも酸化作用を有するが、本実施形態のようにテンプレート側から波長１７２ｎｍの光を照射することで、より効果的にレジスト残渣を除去することができた。
【００３７】
ただし、オゾン水をテンプレートの凹凸パターン面に供給した状態で、波長１７２ｎｍの光をテンプレートのパターン面側から照射させた場合には、殆どレジスト残渣を除去できなかった。これは、波長１７２ｎｍの光をオゾン水が強く吸収し、光が照射されたオゾン水表面ではＯＨラジカルを生じるものの、レジスト残差近傍まで光が到達しないため、レジスト残渣周辺で励起を行うことができず、レジスト残渣表面に対するラジカル反応を生じ得なかったためである。
【００３８】
本実施形態では洗浄剤を静的に供給したが、流動させてもよい、テンプレート側より洗浄剤を励起する光を照射するため、洗浄剤が静止、流動しているのに関わらずテンプレートとレジスト残渣界面でレジスト残渣に対してラジカル反応を生じさせることが特徴であり、流動（流水）させた場合は、剥離し、分解した残渣を効果的にテンプレートの凹凸パターン面から除去できるため、より高い洗浄効果を得ることができる。
【００３９】
一般に、大気中でレジストなどの有機物に対してエキシマランプを照射することで、酸素に直接作用して励起酸素原子を生成し、これを用いて有機物を二酸化炭素と水に分解して除去可能であることが知られている。しかし、大気中でテンプレートのパターン面側からエキシマランプを照射した場合には、残渣表面では十分なオゾンが供給されるため分解されていることが確認できたが、レジスト残渣とテンプレート界面では、光照射初期には短波長照射による架橋反応のみが進むため、むしろ強固な残渣として残存した。
【００４０】
（第二の実施形態）
本実施形態に係るテンプレートの洗浄方法は、第一の実施形態に係る洗浄方法において用いた洗浄剤である酸素水にかえて、オゾンと二酸化炭素が含有された過酸化水素を溶質とする水溶液または有機物を用いたテンプレートの洗浄方法である。その他はほぼ同様であるので、一部の工程については詳細説明を省略する。
【００４１】
洗浄剤に過酸化水素を溶質とする水溶液または有機物を用いた場合、第一の実施形態で用いた波長１７２ｎｍの光を洗浄剤の励起光として用いると、過酸化水素水等の中で光の減衰が大きくなってしまう。このため、波長２５０ｎｍ以下の吸収帯のなかからＫｒＣｌのエキシマランプを光照射機構として採用し、波長２２２ｎｍの光（励起光）を洗浄剤に照射することとした。
【００４２】
第一の実施形態と同様の方法を用いて、この励起光をテンプレートの凹凸パターン面と反対側の面を通して照射した。過酸化水素は、波長２５０nm以下の波長２２２ｎｍの光が照射されることで、２つのＯＨラジカルを生成する。このため、レジスト残渣表面で効果的にＯＨラジカル反応させることができ、本実施形態に係る洗浄方法では、第一の実施形態に係る洗浄方法よりも、約１／２の処理時間でレジスト残渣をテンプレートから剥離できた。
【００４３】
過酸化水素水に含まれる微量の二酸化炭素は、テンプレートから剥離されたレジスト残渣及びその酸化分解物がテンプレートに再付着しないように電位コントロールする役割を持つ。このため、過酸化水素に微量に含まれるオゾンの波長２２２ｎｍの光による励起効果で剥離されたレジスト残渣を効率よく水と二酸化炭素、二酸化硫黄などに分解できた。テンプレートからＯＨラジカルとオゾン酸化により剥離され、分解したレジスト残渣を純水で除去し、テンプレート表面を乾燥することでレジスト残渣除去プロセスを終了した。
【００４４】
（第三の実施形態）
本実施形態に係るテンプレートの洗浄方法は、第一の実施形態に係る洗浄方法において用いた洗浄剤である酸素水にかえて、洗浄剤として二酸化炭素が溶解しているイソプロピルアルコールを用いた洗浄方法である。その他は、ほぼ同様であるので、詳細説明を省略する。
【００４５】
本実施形態に係るテンプレートの洗浄方法では、第一の実施形態に係る洗浄方法と同様に、Ｘｅエキシマランプ（光照射機構）を用いて、テンプレートの凹凸パターン面と反対側の面を通して波長１７２ｎｍの光を照射した。洗浄剤中のイソプロピルアルコールは、波長１７２ｎｍの光を効率よく吸収することができる。
【００４６】
テンプレートとの界面近傍のイソプロピルアルコールは、波長１７２ｎｍの光を照射することによる励起反応によりＯＨラジカルを発生し、このＯＨラジカルがレジスト残渣と反応してレジスト残渣をテンプレートから剥離させた。なお、ＯＨラジカルとの反応で水溶性になった一部のレジスト残渣は洗浄剤のイソプロピルアルコールに溶解した。剥離及び溶解したレジスト残渣をイソプロピルアルコールでテンプレートの凹凸パターン面から洗い流した。この時、第二の実施形態に係る洗浄方法と同様、イソプロピルアルコール中に含まれた二酸化炭素により、レジスト残渣の剥離物と溶解物のテンプレートへの再付着を抑制することができた。上述のイソプロピルアルコールによるリンスの後、テンプレートを乾燥して洗浄プロセスを終了した。
【００４７】
本実施形態では、イソプロピルアルコールを洗浄剤に用いたが、これに限るものではない。メタノール、エタノール、プロパノール、ブタノールなど炭素数４以下の低分子アルコールを用いても同様の効果が得られた。
【００４８】
また、これらのアルコールに過酸化水素を溶解した洗浄剤を用いることで更にＯＨラジカル反応を効果的に生じさせることができた。
【００４９】
なお、上記洗浄剤に更に酸素やオゾンを溶解した洗浄剤を用いると、剥離したレジスト残渣や溶解物を更に酸化分解することができ、より大きい洗浄効果が得られた。
【００５０】
本実施形態では波長１７２ｎｍの光を用いたが、これに限るものではない。洗浄液の光吸収帯であって、ＯＨラジカルを生じる波長の光で、且つ、テンプレート材を透過する光であれば如何なる波長の光を用いても良い。洗浄剤にアルコールを用いた場合、例えば波長２５０ｎｍ以下の光を用いてラジカルを発生させることができる。（第四の実施形態）
本実施形態に係るテンプレート洗浄方法は、テンプレートのパターン面に生じたレジスト残渣を効果的に除去する洗浄方法である。本実施形態に係る洗浄方法と第一の実施形態に係る洗浄方法との主要な違いは、テンプレートへの洗浄剤の供給方法である。従って以下では、図６を参照して、本実施形態に係るテンプレートへの洗浄剤の供給方法について主に説明する。図6は、本実施形態に係る洗浄方法の工程断面図である。
【００５１】
まず、図６（ａ）右図に示すように、テンプレート洗浄装置５００にテンプレート１２０を保持する。本実施形態では、テンプレート保持機構５０１により、テンプレート１２０を上方に向けて保持する。このように、洗浄対象となるパターン内部のレジスト残差と供給される洗浄剤５０２間に空隙が生じるのを防ぐためにテンプレート１２０のパターン面を上方設置するのが好ましい。
【００５２】
本実施形態に係る洗浄方法を実施する際に用いる洗浄装置５００では、第一の実施形態と異なり、洗浄剤供給機構５０３として洗浄槽を用いておらず、湿度調整機構を採用している。湿度調整機構は、装置５００内に蒸気化又はミスト化された洗浄剤５０２を供給するなどにより装置５００内の湿度を調整し、洗浄剤５０２をテンプレートのパターン面に供給する。湿度調整機構は、テンプレート１２０のパターン面近傍及びパターン面と反対側の面近傍の湿度をそれぞれ独立して制御できるよう構成されていることが好ましい。光照射機構５０４は、第一の実施形態と同様、テンプレート１２０のパターン面と反対側の面近傍に配置されている。また、湿度調整された雰囲気がテンプレート１２０と光照射機構５０４の間に回りこまないように制御されている。
【００５３】
図６（ａ）の左図は、図６（ａ）の右図の点線部分を拡大した図である。以降、図６を用いた説明について、図６（ａ）左図に示すものと同様の拡大図のみを参照して進める。
【００５４】
湿度調整機構を用いて、レジスト残渣１２４が生じているテンプレート１２０を室温で湿度４５％の雰囲気に晒した後、図６（ｂ）に示すように、テンプレート１２０を冷却してテンプレート１２０の表面とレジスト残渣１２４の表面に洗浄水５０２を結露させた。
【００５５】
上記のように、結露によってテンプレート１２０のパターン面へ洗浄剤５０２を供給する方法としては、洗浄剤供給機構（湿度調整機構）により、第一の温度で飽和湿度の雰囲気を形成し、その雰囲気を第一の温度より低温のテンプレート１２０のパターン面（洗浄面）に接触させることにより容易に実施可能である。
【００５６】
この方式で洗浄水５０２として機能水を用いる場合は、結露水に酸素、オゾン、過酸化水素を接触させて結露水に溶解させることで吸着した酸素水、オゾン水、過酸化水素水にすることができる。
【００５７】
なお、上述の各実施形態と同様、本実施形態に係る光照射工程においても、光照射機構をテンプレート１２０のパターン面と反対側の面に接触させた状態でテンプレート１２０のパターン面と反対側の面から光照射を行うことが望ましい。
【００５８】
また、光照射機構とテンプレート１２０を接触させずに光照射を行う場合には、光照射機構からテンプレートのパターン面と反対側の面までの光路媒質中における照射光の吸収を抑制すればよい。具体的には、湿度調整機構により、テンプレートのパターン面と反対側の面近傍の雰囲気の水分含有量を低減し、パターン面と反対側の面における結露を防止しておくことが望ましい。例えば、テンプレートのパターン面と反対側の面近傍を加熱したり、乾燥状態に保っておくことで結露を抑制することができる。
【００５９】
次いで、図６（ｃ）に示すように、テンプレート１２０のパターン面と反対の面からＸｅエキシマランプを備えた光照射機構を用いて波長１７２ｎｍの光１０５を照射した。波長１７２ｎｍの光は、テンプレート母材の石英で若干吸収されるものの、レジスト残渣とその周辺の結露した水に照射される。光照射により励起された結露水５０２ではＯＨラジカルが発生し、このＯＨラジカルがレジスト残渣１２４との反応を開始する。
【００６０】
レジスト残渣１２４の表面は徐々にＯＨラジカル反応により親水性になるため、レジスト残渣１２４とテンプレート１２０の界面に結露が進行し、更に界面に結露した水が光で励起され、この反応が繰り返されてやがてレジスト残渣１２４はテンプレート界面から剥離する。一方、大気中の酸素も波長１７２ｎｍの光で励起され酸素ラジカルを発生する。この酸素ラジカルもレジスト残渣に作用し酸化分解反応が進む。
【００６１】
図６（d）に示すように、テンプレート１２０から剥離したレジスト残渣１２４に対して波長１７２ｎｍの光が照射されている間は、更に、洗浄剤５０２中の水から生じるＯＨラジカルと酸素から生じる酸素ラジカルの作用を受けて溶解と酸化分解反応が進行し、最終的には水と二酸化炭素、二硫化炭素などに完全分解する。
【００６２】
最後に、図６（e）に示すように、テンプレート１２０の温度を上昇させ、結露水５０２を気化することで洗浄を完了した。この方式で励起された洗浄剤５０２による親水（ＯＨ）化と分解が十分に進み、洗浄剤５０２とレジスト残差１２４との反応生成物の蒸気圧が高ければ、テンプレート１２０の温度を昇温させるだけで容易に洗浄剤５０２と反応生成物を気化できるので、ドライ状態での洗浄が可能になる。
【００６３】
なお、テンプレートの温度上昇で結露水を気化する工程においてウォーターマーク（Water-mark）が生じる場合には、水洗処理を付加してもよく、また、低温の状態から水洗処理を行い、乾燥させてもよい。また、乾燥にイソプロピルアルコールなどを用いても良い。
【００６４】
本実施形態のように洗浄剤を結露させたテンプレートを特許文献３または４で開示されている手法のように結露後パターン面から励起光を照射した場合、レジスト残渣表面からＯＨラジカルと酸素ラジカルにより分解反応が進むものの、分解反応がレジスト残差表面からの方向のみとなるため、本実施形態に係る洗浄方法と比べて２倍以上の時間を要した。
【００６５】
分析したところ、本実施形態に係る洗浄方法のように、テンプレートのパターンと反対側の面を通して光を照射することで、テンプレートとレジスト残渣界面で水の浸透と分解を効果的に行うことができ、また、残渣を透過した光が残渣表面のＯＨラジカル反応及び酸素ラジカル反応を加速したため時間的な利得が得られたことがわかった。
【００６６】
以上のように本実施形態に係る洗浄方法は、洗浄対象となるテンプレートのパターン面を結露させることにより洗浄剤を供給するが、他の洗浄剤供給方法も考えられる。例えば、パターン面を上方に向けて保持されたテンプレートに対し、洗浄剤供給機構により、洗浄剤をバブリングし、ミスト状態でテンプレートのパターン面（洗浄面）に結露させることなく洗浄剤を供給することも可能である。
【００６７】
この方式で機能水を用いるには、バブリングする気体中の酸素濃度、オゾン濃度、過酸化水素濃度を適宜設定することで所望の酸素水、オゾン水、過酸化水素水を洗浄面に供給できる。
【００６８】
この方式で励起された洗浄剤による親水（ＯＨ）化と分解が十分に進み、洗浄剤と異物との反応生成物として蒸気圧が高い物質が得られた場合には、テンプレート温度を昇温させるだけで容易に洗浄剤と反応生成物を気化できるので、ドライ状態での洗浄が可能になる。
【００６９】
この洗浄剤供給方法を用いたテンプレートの洗浄方法における光照射工程においても、光照射機構をテンプレートのパターン面と反対側の面に接触させた状態でテンプレートのパターン面と反対側の面から光照射行うことが望ましい。
【００７０】
また、光照射機構とテンプレートを接触させずに光照射を行う場合には、光照射機構からテンプレートのパターン面と反対側の面までの媒質中における光の吸収を抑制すればよい。具体的には、テンプレートのパターン面と反対側の面近傍に対する洗浄剤の供給を防止しておくことが望ましい。例えば、テンプレートのパターン面（洗浄面）にのみ、ミスト状の洗浄剤を供給すればよい。
【００７１】
上記各実施形態に係る洗浄方法は、光露光を行うインプリント方式に用いられるテンプレートの洗浄に限らず、光を用いず熱硬化を利用するインプリントに用いるテンプレートであっても、テンプレート材が合成石英、サファイアなどＯＨラジカルを生じさせるのに必要な光を透過できる部材のものであれば、同様の手法で適用可能である。
【００７２】
上記各実施形態では、テンプレートのパターン面に生じたレジスト残差を除去対象としているが、除去対象はレジスト残差に限られない。同様の手法により、テンプレートに付着した有機物を洗浄対象とすることも可能である。
【００７３】
上記各実施形態に係る洗浄方法により洗浄したテンプレートを用いて、図２に示したような方法で半導体基板上にレジストパターンを形成することにより、共通欠陥のないレジストパターンを形成し、半導体装置を製造することが可能となる。
【図面の簡単な説明】
【００７４】
【図１】本発明の第一の実施形態に係るナノインプリント装置の概略図。
【図２】本発明の第一の実施形態に係るナノインプリント法を用いたパターン形成方法を示す工程断面図。
【図３】ナノインプリント法を用いた場合に生じるレジスト残渣を示すテンプレートの断面図。
【図４】本発明の第一の実施形態に係るテンプレートの洗浄装置を示す概略図。
【図５】本発明の第一の実施形態に係るテンプレートの洗浄方法を示す工程断面図。
【図６】本発明の第四の実施形態に係るテンプレートの洗浄方法を示す工程断面図。
【符号の説明】
【００７５】
１０５  照射光（励起光）
１１０  被処理基板
１１２  インプリント用レジスト
１１３  インプリントレジストパターン
１２０  テンプレート
１２４  テンプレートに残留したレジスト
４０２、５０２  洗浄剤 
【図１】
2010046923.tif 000003
【図２】
2010046923.tif 000004
【図３】
2010046923.tif 000005
【図４】
2010046923.tif 000006
【図５】
2010046923.tif 000007
【図６】
2010046923.tif 000008